(57)【特許請求の範囲】
【請求項１】
符号化した映像データをパケットにそれぞれ格納しパケット網を介して伝送する映像通信について、この映像通信から取得した前記パケットから得た当該映像通信に関する符号化ビットレートに基づいて、当該映像通信の受信映像に関するユーザ体感品質を推定する映像品質推定装置であって、
前記パケットを取得した取得パケット数と取得時刻とに基づいて、前記パケットに関する各時刻におけるパケット受信レートを算出するパケット解析部と、
各時刻における前記パケット受信レートを統計処理することにより、任意の映像品質推定時点における前記映像通信に関する符号化ビットレートを算出する符号化ビットレート算出部と、
前記映像品質推定時点における前記符号化ビットレートに基づいて、前記映像品質推定時点における前記ユーザ体感品質を算出するユーザ体感品質算出部と
を備え、
前記符号化ビットレート算出部は、
各時刻における前記パケット受信レートのうちから、時間的に連続する各パケット受信レートが許容範囲内に収まる区間を算出対象区間として選択する対象選択部と、
この算出対象区間に含まれる前記パケット受信レートの統計値を、当該算出対象区間の後端に位置する後端パケット受信レートの時刻における前記符号化ビットレートとして算出する統計値算出部と
を含むことを特徴とする映像品質推定装置。
【請求項２】
請求項１に記載の映像品質推定装置において、
前記対象選択部は、前記算出対象区間に含まれる前記パケット受信レートの平均値と標準偏差とを算出し、当該平均値を中心としてその上下に当該標準偏差の幅を持つ範囲を前記許容範囲として選択し、前記後端パケット受信レートに続く後続パケット受信レートと当該許容範囲とを比較した比較結果に基づいて、当該後続パケット受信レートを当該算出対象区間に含めるか否かを判定することを特徴とする映像品質推定装置。
【請求項３】
請求項１に記載の映像品質推定装置において、
前記対象選択部は、前記算出対象区間に含まれる前記パケット受信レートの標準偏差を算出し、前記後端パケット受信レートを中心としてその上下に当該標準偏差の幅を持つ範囲を前記許容範囲として選択し、前記後端パケット受信レートに続く後続パケット受信レートと当該許容範囲とを比較した比較結果に基づいて、当該後続パケット受信レートを当該算出対象区間に含めるか否かを判定することを特徴とする映像品質推定装置。
【請求項４】
請求項１に記載の映像品質推定装置において、
前記符号化ビットレート算出部は、
前記後端パケット受信レートに続く後続パケット受信レートが前記許容範囲内に収まらない場合、前記後端パケット受信レートから始まる所定長の変動判定期間に含まれる複数の前記パケット受信レートについて変化率を算出し、この変化率と予め設定されている変化率判定値との比較結果に基づいて前記パケット受信レートの変動有無を確認する変動確認部をさらに含み、
前記対象選択部は、前記パケット受信レートの変動なしを確認した場合、前記後続パケット受信レートを前記算出対象区間に含める
ことを特徴とする映像品質推定装置。
【請求項５】
請求項４に記載の映像品質推定装置において、
前記符号化ビットレート算出部は、
前記後端パケット受信レートに続く後続パケット受信レートが前記許容範囲内に収まらない場合、前記後端パケット受信レートから始まる所定長の変動判定期間に含まれる複数の前記パケット受信レートについて変化率を算出し、この変化率と予め設定されている変化率判定値との比較結果に基づいて前記パケット受信レートの変動有無を確認し、前記パケット受信レートの変動ありを確認した場合、前記後続パケット受信レートから所定長の安定判定時間が経過する前の時点で、前記許容範囲内に収まる前記パケット受信レートが現れるか否かを確認する変動確認部と、
前記パケット受信レートの変動ありを確認し、かつ前記後続パケット受信レートから所定長の安定判定時間が経過する前の時点で、前記許容範囲内に収まる前記パケット受信レートが現れた場合は、前記後続パケット受信レートから前記許容範囲内に収まる前記パケット受信レートが現れるまでの前記パケット受信レートを、前記符号化ビットレートの算出対象から除外する対象除外部と
をさらに含むことを特徴とする映像品質推定装置。
【請求項６】
請求項４に記載の映像品質推定装置において、
前記符号化ビットレート算出部は、
前記後端パケット受信レートに続く後続パケット受信レートが前記許容範囲内に収まらない場合、前記後端パケット受信レートから始まる所定長の変動判定期間に含まれる複数の前記パケット受信レートについて変化率を算出し、この変化率と予め設定されている変化率判定値との比較結果に基づいて前記パケット受信レートの変動有無を確認し、前記パケット受信レートの変動ありを確認した場合、前記後続パケット受信レートから所定長の安定判定時間が経過する前の時点で、前記許容範囲内に収まる前記パケット受信レートが現れるか否かを確認する変動確認部と、
前記パケット受信レートの変動ありを確認し、かつ、前記後続パケット受信レートから所定長の安定判定期間が経過する前の時点で、前記許容範囲内に収まる前記パケット受信レートが現れない場合は、前記後続パケット受信レート以降の前記パケット受信レートを新たな算出対象区間として選択する対象切替部と
をさらに含むことを特徴とする映像品質推定装置。
【請求項７】
符号化した映像データをパケットにそれぞれ格納しパケット網を介して伝送する映像通信について、この映像通信から取得した前記パケットから得た当該映像通信に関する符号化ビットレートに基づいて、当該映像通信の受信映像に関するユーザ体感品質を推定する映像品質推定方法であって、
前記パケットを取得した取得パケット数と取得時刻とに基づいて、前記パケットに関する各時刻におけるパケット受信レートを算出するパケット解析ステップと、
各時刻における前記パケット受信レートを統計処理することにより、任意の映像品質推定時点における前記映像通信に関する符号化ビットレートを算出する符号化ビットレート算出ステップと、
前記映像品質推定時点における前記符号化ビットレートに基づいて、前記映像品質推定時点における前記ユーザ体感品質を算出するユーザ体感品質算出ステップと
を備え、
前記符号化ビットレート算出ステップは、
各時刻における前記パケット受信レートのうちから、時間的に連続する各パケット受信レートが許容範囲内に収まる区間を算出対象区間として選択する対象選択ステップと、
この算出対象区間に含まれる前記パケット受信レートの統計値を、当該算出対象区間の後端に位置する後端パケット受信レートの時刻における前記符号化ビットレートとして算出する統計値算出ステップと
を含むことを特徴とする映像品質推定方法。
【請求項８】
符号化した映像データをパケットにそれぞれ格納しパケット網を介して伝送する映像通信について、この映像通信から取得した前記パケットから得た当該映像通信に関する符号化ビットレートを推定する符号化ビットレート推定装置であって、
前記パケットを取得した取得パケット数と取得時刻とに基づいて、前記パケットに関する各時刻におけるパケット受信レートを算出するパケット解析部と、
各時刻における前記パケット受信レートを統計処理することにより、任意の映像品質推定時点における前記映像通信に関する符号化ビットレートを算出する符号化ビットレート算出部と
を備え、
前記符号化ビットレート算出部は、
各時刻における前記パケット受信レートのうちから、時間的に連続する各パケット受信レートが許容範囲内に収まる区間を算出対象区間として選択する対象選択部と、
この算出対象区間に含まれる前記パケット受信レートの統計値を、当該算出対象区間の後端に位置する後端パケット受信レートの時刻における前記符号化ビットレートとして算出する統計値算出部と
を含むことを特徴とする符号化ビットレート推定装置。
【請求項９】
符号化した映像データをパケットにそれぞれ格納しパケット網を介して伝送する映像通信について、この映像通信から取得した前記パケットから得た当該映像通信に関する符号化ビットレートを推定する符号化ビットレート推定方法であって、
前記パケットを取得した取得パケット数と取得時刻とに基づいて、前記パケットに関する各時刻におけるパケット受信レートを算出するパケット解析ステップと、
各時刻における前記パケット受信レートを統計処理することにより、任意の映像品質推定時点における前記映像通信に関する符号化ビットレートを算出する符号化ビットレート算出ステップと
を備え、
前記符号化ビットレート算出ステップは、
各時刻における前記パケット受信レートのうちから、時間的に連続する各パケット受信レートが許容範囲内に収まる区間を算出対象区間として選択する対象選択ステップと、
この算出対象区間に含まれる前記パケット受信レートの統計値を、当該算出対象区間の後端に位置する後端パケット受信レートの時刻における前記符号化ビットレートとして算出する統計値算出ステップと
を含むことを特徴とする符号化ビットレート推定方法。
【請求項１０】
コンピュータを、請求項１〜請求項６のいずれか１つに記載の映像品質推定装置を構成する各部として機能させるためのプログラム。
【請求項１１】
コンピュータを、請求項８に記載の符号化ビットレート推定装置を構成する各部として機能させるためのプログラム。
【発明の詳細な説明】
【技術分野】
【０００１】
本発明は、通信品質推定技術に関し、特に映像系ＩＰサービスによりパケット網を介して受信再生される映像の映像品質を推定する技術に関する。
【背景技術】
【０００２】
映像系ＩＰサービスは、近年、ＩＰＴＶサービスとして世界各国で本格的なサービス提供が始まり、市場が拡大しつつある。また、電話サービスを拡張したＩＰテレビ電話等のサービスも提供されつつある。一方、ＩＰ網の品質が保証されないため、アプリケーションの品質管理技術が注目され、品質測定器市場も拡大しつつある。品質管理技術においては、網の品質に留まらず、ユーザ体感品質（ＱｏＥ：Quality of Experience）を管理することが重要視されるようになってきている。
【０００３】
ユーザ体感品質を管理するため、従来より、網や端末から取得できる様々なパラメータを利用してユーザ体感品質を推定する技術が検討されており、網上で取得できる情報（パケットの挙動）を利用するアプローチとして、後述の特許文献１が存在する。また、パケットの挙動を利用する際に、符号化もしくはパケット転送レートを利用して、ユーザ体感品質を推定するアプローチとして、非特許文献１や非特許文献２などが存在する。特に、特許文献２では、映像ビットレートとユーザ体感品質に相関関係があることが示されている。  
【先行技術文献】
【特許文献】
【０００４】
【特許文献１】特開２００８−３０１０２７号公報
【非特許文献】
【０００５】
【非特許文献１】K.Yamagishi, T.Hayashi,"Video-Quality Planning Model for Videophone Services," TheJournal of The Institute of Image Information and Television Engineers, Vol. 62, No. 7, pp. 1050.1058, 2008.
【非特許文献２】ＩＴＵ−Ｔ勧告  Ｇ．１０７０
【発明の概要】
【発明が解決しようとする課題】
【０００６】
このような従来技術では、パケットの挙動を利用するアプローチで品質管理を実現する場合、パケットの挙動を測定するポイントは受信端末もしくは中継網上のノードであり、映像信号送信側で設定される符号化ビットレートを確認する手段は備えていない。例外的に、メタデータ等を用いて設定情報が送信端末からメディア情報と一緒に転送される方式等も利用可能な場合もあるが、多くのアプリケーションでは、そのような方式をとっていない。そのため、符号化もしくはパケット転送レートを利用するユーザ体感品質推定アプローチの場合、符号化ビットレートの代用として、パケット転送レートを利用することが多い。
【０００７】
しかしながら、パケット転送レートは、符号化ビットレートと異なり、転送される映像コンテンツの内容に応じて大きく変動するアプリケーションも多く存在する。例えば、静止画や背景が黒等の単色の場合、パケット転送レートが低下する。このため、パケット転送レートの変動が激しいアプリケーションの場合、符号化ビットレートを考慮した安定した高精度のユーザ体感品質推定ができないという問題点があった。
【０００８】
例えば、従来技術のうち特許文献２等のアプローチは、符号化ビットレートを考慮するためのアプローチであり、伝送される映像コンテンツの内容に関わらず、映像配信側で設定される符号化ビットレートに応じた画像の繊細さや動きのなめらかさ等に基づいて、事前に一意の品質基準値を設定するアプローチである。
この際、設定される符号化ビットレートが２０Ｍｂｐｓの場合のユーザ体感品質の最大値は「４．５」、設定される符号化ビットレートが  ２Ｍｂｐｓの場合のユーザ体感品質の最大値は「２．５」のように、設定される符号化ビットレートに応じてユーザ体感品質の最大値を事前に設定する。
【０００９】
したがって、設定される符号化ビットレートが同じストリーム（セッション）では、符号化ビットレートに応じた基準となるユーザ体感品質の最大値は一致しなければならず、伝送される映像コンテンツ内容によって変動するパケット転送レートを用いてユーザ体感品質を推定してしまうと、本来、基準として利用しなければならないユーザ体感品質の最大値が大きく異なる場合があるため、ユーザ体感品質推定精度は低下する。そのため、パケット転送レートの変動が激しいアプリケーションの場合、符号化ビットレートを考慮した、安定した高精度のユーザ体感品質推定ができなくなる。
【００１０】
本発明はこのような課題を解決するためのものであり、符号化ビットレートを考慮した、安定した高精度のユーザ体感品質を推定できる映像品質推定技術を提供することを目的としている。
【課題を解決するための手段】
【００１１】
このような目的を達成するために、本発明にかかる映像品質推定装置は、符号化した映像データをパケットにそれぞれ格納しパケット網を介して伝送する映像通信について、この映像通信から取得したパケットから得た当該映像通信に関する符号化ビットレートに基づいて、当該映像通信の受信映像に関するユーザ体感品質を推定する映像品質推定装置であって、パケットを取得した取得パケット数と取得時刻とに基づいて、パケットに関する各時刻におけるパケット受信レートを算出するパケット解析部と、各時刻におけるパケット受信レートを統計処理することにより、任意の映像品質推定時点における映像通信に関する符号化ビットレートを算出する符号化ビットレート算出部と、映像品質推定時点における符号化ビットレートに基づいて、映像品質推定時点におけるユーザ体感品質を算出するユーザ体感品質算出部とを備え、前記符号化ビットレート算出部は、各時刻における前記パケット受信レートのうちから、時間的に連続する各パケット受信レートが許容範囲内に収まる区間を算出対象区間として選択する対象選択部と、この算出対象区間に含まれる前記パケット受信レートの統計値を、当該算出対象区間の後端に位置する後端パケット受信レートの時刻における前記符号化ビットレートとして算出する統計値算出部とを含んでいる。
【００１３】
また、対象選択部で、算出対象区間に含まれるパケット受信レートの平均値と標準偏差とを算出し、当該平均値を中心としてその上下に当該標準偏差の幅を持つ範囲を許容範囲として選択し、後端パケット受信レートに続く後続パケット受信レートと当該許容範囲とを比較した比較結果に基づいて、当該後続パケット受信レートを当該算出対象区間に含めるか否かを判定するようにしてもよい。
【００１４】
あるいは、対象選択部で、算出対象区間に含まれるパケット受信レートの標準偏差を算出し、後端パケット受信レートを中心としてその上下に当該標準偏差の幅を持つ範囲を許容範囲として選択し、後端パケット受信レートに続く後続パケット受信レートと当該許容範囲とを比較した比較結果に基づいて、当該後続パケット受信レートを当該算出対象区間に含めるか否かを判定するようにしてもよい。
【００１５】
また、符号化ビットレート算出部に、後端パケット受信レートに続く後続パケット受信レートが許容範囲内に収まらない場合、後端パケット受信レートから始まる所定長の変動判定期間に含まれる複数のパケット受信レートについて変化率を算出し、この変化率と予め設定されている変化率判定値との比較結果に基づいてパケット受信レートの変動有無を確認する変動確認部をさらに設け、対象選択部で、パケット受信レートの変動なしを確認した場合、後続パケット受信レートを算出対象区間に含めるようにしてもよい。
【００１６】
また、符号化ビットレート算出部に、後端パケット受信レートに続く後続パケット受信レートが許容範囲内に収まらない場合、後端パケット受信レートから始まる所定長の変動判定期間に含まれる複数のパケット受信レートについて変化率を算出し、この変化率と予め設定されている変化率判定値との比較結果に基づいてパケット受信レートの変動有無を確認し、パケット受信レートの変動ありを確認した場合、後続パケット受信レートから所定長の安定判定時間が経過する前の時点で、許容範囲内に収まるパケット受信レートが現れるか否かを確認する変動確認部と、パケット受信レートの変動ありを確認し、かつ後続パケット受信レートから所定長の安定判定時間が経過する前の時点で、許容範囲内に収まるパケット受信レートが現れた場合は、後続パケット受信レートから許容範囲内に収まるパケット受信レートが現れるまでのパケット受信レートを、符号化ビットレートの算出対象から除外する対象除外部とをさらに設けてもよい。
【００１７】
また、符号化ビットレート算出部に、後端パケット受信レートに続く後続パケット受信レートが許容範囲内に収まらない場合、後端パケット受信レートから始まる所定長の変動判定期間に含まれる複数のパケット受信レートについて変化率を算出し、この変化率と予め設定されている変化率判定値との比較結果に基づいてパケット受信レートの変動有無を確認し、パケット受信レートの変動ありを確認した場合、後続パケット受信レートから所定長の安定判定時間が経過する前の時点で、許容範囲内に収まるパケット受信レートが現れるか否かを確認する変動確認部と、パケット受信レートの変動ありを確認し、かつ、後続パケット受信レートから所定長の安定判定期間が経過する前の時点で、許容範囲内に収まるパケット受信レートが現れない場合は、後続パケット受信レート以降のパケット受信レートを新たな算出対象区間として選択する対象切替部とをさらに設けてもよい。
【００１８】
また、本発明にかかる映像品質推定方法は、符号化した映像データをパケットにそれぞれ格納しパケット網を介して伝送する映像通信について、この映像通信から取得したパケットから得た当該映像通信に関する符号化ビットレートに基づいて、当該映像通信の受信映像に関するユーザ体感品質を推定する映像品質推定方法であって、パケットを取得した取得パケット数と取得時刻とに基づいて、パケットに関する各時刻におけるパケット受信レートを算出するパケット解析ステップと、各時刻におけるパケット受信レートを統計処理することにより、任意の映像品質推定時点における映像通信に関する符号化ビットレートを算出する符号化ビットレート算出ステップと、映像品質推定時点における符号化ビットレートに基づいて、映像品質推定時点におけるユーザ体感品質を算出するユーザ体感品質算出ステップとを備え、前記符号化ビットレート算出ステップは、各時刻における前記パケット受信レートのうちから、時間的に連続する各パケット受信レートが許容範囲内に収まる区間を算出対象区間として選択する対象選択ステップと、この算出対象区間に含まれる前記パケット受信レートの統計値を、当該算出対象区間の後端に位置する後端パケット受信レートの時刻における前記符号化ビットレートとして算出する統計値算出ステップとを含んでいる。
【００１９】
また、本発明にかかる符号化ビットレート推定装置は、符号化した映像データをパケットにそれぞれ格納しパケット網を介して伝送する映像通信について、この映像通信から取得したパケットから得た当該映像通信に関する符号化ビットレートを推定する符号化ビットレート推定装置であって、パケットを取得した取得パケット数と取得時刻とに基づいて、パケットに関する各時刻におけるパケット受信レートを算出するパケット解析部と、各時刻におけるパケット受信レートを統計処理することにより、任意の映像品質推定時点における映像通信に関する符号化ビットレートを算出する符号化ビットレート算出部とを備え、前記符号化ビットレート算出部は、各時刻における前記パケット受信レートのうちから、時間的に連続する各パケット受信レートが許容範囲内に収まる区間を算出対象区間として選択する対象選択部と、この算出対象区間に含まれる前記パケット受信レートの統計値を、当該算出対象区間の後端に位置する後端パケット受信レートの時刻における前記符号化ビットレートとして算出する統計値算出部とを含んでいる。
【００２０】
また、本発明にかかる符号化ビットレート推定方法は、符号化した映像データをパケットにそれぞれ格納しパケット網を介して伝送する映像通信について、この映像通信から取得したパケットから得た当該映像通信に関する符号化ビットレートを推定する符号化ビットレート推定方法であって、パケットを取得した取得パケット数と取得時刻とに基づいて、パケットに関する各時刻におけるパケット受信レートを算出するパケット解析ステップと、各時刻におけるパケット受信レートを統計処理することにより、任意の映像品質推定時点における映像通信に関する符号化ビットレートを算出する符号化ビットレート算出ステップとを備え、前記符号化ビットレート算出ステップは、各時刻における前記パケット受信レートのうちから、時間的に連続する各パケット受信レートが許容範囲内に収まる区間を算出対象区間として選択する対象選択ステップと、この算出対象区間に含まれる前記パケット受信レートの統計値を、当該算出対象区間の後端に位置する後端パケット受信レートの時刻における前記符号化ビットレートとして算出する統計値算出ステップとを含んでいる。
【００２１】
また、本発明にかかるプログラムは、コンピュータを、前述したいずれかの映像品質推定装置を構成する各部として機能させるためのプログラムである。
また、本発明にかかる他のプログラムは、コンピュータを、前述した符号化ビットレート推定装置を構成する各部として機能させるためのプログラムである。
【発明の効果】
【００２２】
本発明によれば、評価対象となる映像通信について、各時刻における符号化ビットレートを精度良く算出することができる。したがって、パケット転送レートの変動が激しいアプリケーションであっても、符号化ビットレートを考慮した、安定した高精度のユーザ体感品質を推定できる。
【図面の簡単な説明】
【００２３】
【図１】第１の実施の形態にかかる映像品質推定装置の構成を示すブロック図である。
【図２】設定情報の構成例である。
【図３】パケット受信レートデータの構成例である。
【図４】符号化ビットレートデータの構成例である。
【図５】符号化ビットレート算出部の構成を示すブロック図である。
【図６】第１の実施の形態にかかる映像品質推定装置の映像品質推定動作を示すフローチャートである。
【図７】第１の実施の形態にかかる映像品質推定装置の符号化ビットレート算出処理を示すフローチャートである。
【図８】対象選択部での処理例を示す説明図である。
【図９】変動確認部での変動有無確認処理例を示す説明図である。
【図１０】変動確認部での安定判定処理例を示す説明図である。
【図１１】変動確認部での他の安定判定処理例を示す説明図である。
【図１２】第２の実施の形態にかかる符号化ビットレート推定装置の構成を示すブロック図である。
【発明を実施するための形態】
【００２４】
次に、本発明の実施の形態について図面を参照して説明する。
［第１の実施の形態］
まず、図１を参照して、本発明の第１の実施の形態にかかる映像品質推定装置について説明する。図１は、第１の実施の形態にかかる映像品質推定装置の構成を示すブロック図である。
【００２５】
この映像品質推定装置１０は、全体としてサーバ装置などの情報通信処理装置からなり、符号化した映像データをパケットに格納して、送信端末１からパケット網５を介して、ＳＴＰ（Set Top Box）などの受信端末２へ伝送し、映像モニタ３で受信映像を再生する映像通信について、パケット網５内の中継装置５Ａ、パケット網５から受信端末２までの伝送経路６に設けられた分岐器６Ａ、あるいは受信端末２からキャプチャした映像通信のパケットに基づいて、映像モニタ３で再生される受信映像に関する映像品質を算出する装置である。
【００２６】
本実施の形態では、映像品質推定装置１０が独立した情報通信処理装置からなる場合を例として説明するが、これに限定されるものではなく、例えば中継装置５Ａ、分岐器６Ａ、受信端末２などの通信装置内へ実装してもよい。
【００２７】
本実施の形態は、パケットを取得した取得パケット数と取得時刻とに基づいて、パケットに関する各時刻におけるパケット受信レートを算出し、各時刻におけるパケット受信レートを統計処理することにより、任意の映像品質推定時点における映像通信に関する符号化ビットレートを算出し、映像品質推定時点における符号化ビットレートに基づいて、映像品質推定時点におけるユーザ体感品質を算出するようにしたものである。
【００２８】
次に、図１を参照して、本実施の形態にかかる映像品質推定装置の構成について詳細に説明する。
この映像品質推定装置１０には、主な機能部として、通信インターフェース部（以下、通信Ｉ／Ｆ部という）１１、操作入力部１２、画面表示部１３、記憶部１４、パケット受信レート記憶部１５、符号化ビットレート記憶部１６、および演算処理部１７が設けられている。
【００２９】
通信Ｉ／Ｆ部１１は、専用の通信回路からなり、中継装置５Ａ、分岐器６Ａ、あるいは受信端末２から、各種パケットをキャプチャする機能を有している。
操作入力部１２は、キーボードやマウスなどの操作入力装置からなり、オペレータの操作を検出して演算処理部１７へ出力する機能を有している。
画面表示部１３は、ＬＣＤなどの画面表示装置からなり、演算処理部１７の制御に基づいて、操作メニューや設定画面、さらには算出した符号化ビットレートやユーザ体感品質などの各種情報を画面表示する機能を有している。
【００３０】
記憶部１４は、ハードディスクや半導体メモリなどの記憶装置からなり、演算処理部１７で用いる各種処理情報やプログラムを記憶する機能を有している。記憶部１４で記憶する主な処理情報として、設定情報１４Ａ、推定モデル１４Ｂ、およびプログラム１４Ｐがある。
【００３１】
設定情報１４Ａは、符号化ビットレートの算出処理に用いる各種の設定情報である。図２は、設定情報の構成例である。ここでは、変動判定基準値として、変動判定時間長Ｔｃと変動判定変動量ΔＲが設定されており、安定判定基準値として、安定判定継続時間Ｔｓとが設定されている。これら設定情報の内容については後述する。
【００３２】
推定モデル１４Ｂは、映像通信に関する符号化ビットレートと網品質情報とから、当該映像通信のユーザ体感品質を推定するための推定モデルである。この推定モデルについては、公知のモデルを用いればよい。本実施の形態では、推定モデル１４Ｂとして、符号化ビットレートおよびパケット損失率とユーザ体感品質との対応関係を示す関数を用いる場合を例として説明する。
【００３３】
パケット受信レート記憶部１５は、ハードディスクや半導体メモリなどの記憶装置からなり、演算処理部１７で算出した、単位時間当たりに受信端末２で受信したパケット数を示すパケット受信レートを記憶する記憶部である。
図３は、パケット受信レートデータの構成例である。ここでは、任意の算出対象区間における時間位置を示す時刻情報と、当該時間位置における映像通信のパケット受信レートとの組が登録されている。
【００３４】
符号化ビットレート記憶部１６は、ハードディスクや半導体メモリなどの記憶装置からなり、演算処理部１７で算出した、単位時間当たりに受信端末２で受信した符号化データ量を示す符号化ビットレートを記憶する記憶部である。
図４は、符号化ビットレートデータの構成例である。ここでは、任意の算出対象区間における時間位置を示す時刻情報と、当該時間位置における映像通信の符号化ビットレートとの組が登録されている。
【００３５】
演算処理部１７は、ＣＰＵなどのマイクロプロセッサとその周辺回路を有し、記憶部１４のプログラムを読み込んで実行することにより、各種処理部を実現する機能を有している。演算処理部１７で実現される主な処理部としては、パケット取得部１７Ａ、パケット解析部１７Ｂ、符号化ビットレート算出部１７Ｃ、およびユーザ体感品質算出部１７Ｄがある。
【００３６】
パケット取得部１７Ａは、通信Ｉ／Ｆ部１１でキャプチャしたパケットのうちから、評価対象となる映像通信のポート番号やＩＤなどの識別情報に基づいて、当該映像通信に関するパケットを取得する機能を有している。例えば、ＩＰＴＶサービス（ＭＰＥＧ２−ＴＳを利用した場合）では、ＩＰパケット中に含まれるＰＡＴ（Program Allocation Table）やＰＭＴ（Program Map Table）の情報を用いて、ユーザ体感品質を推定する対象チャンネル（ＴＶ番組）を特定すればよい。
【００３７】
パケット解析部１７Ｂは、パケット取得部１７Ａで取得したパケットの取得パケット数と取得時刻とに基づいて、これらパケットに関する各時刻におけるパケット受信レートを算出し、パケット受信レート記憶部１５へ保存する機能と、パケット取得部１７Ａで取得したパケットからパケット損失率などの網品質情報を算出する機能とを有している。網品質情報の算出方法については、公知の技術を用いればよい。
【００３８】
符号化ビットレート算出部１７Ｃは、パケット解析部１７Ｂで算出された記憶部１４のパケット受信レートを統計処理することにより、任意の映像品質推定時点における映像通信に関する符号化ビットレートを算出し、符号化ビットレート記憶部１６へ保存する機能を有している。
図５は、符号化ビットレート算出部の構成を示すブロック図である。符号化ビットレート算出部１７Ｃには、主な処理部として、対象選択部１８Ａ、統計値算出部１８Ｂ、変動確認部１８Ｃ、対象除外部１８Ｄ、および対象切替部１８Ｅが設けられている。
【００３９】
対象選択部１８Ａは、各時刻におけるパケット受信レートのうちから、時間的に連続する各パケット受信レートが許容範囲内に収まる区間を算出対象区間として選択する機能と、変動確認部１８Ｃでパケット受信レートの変動なしが確認された場合、後続パケット受信レートを算出対象区間に含める機能とを有している。
【００４０】
この際、対象選択部１８Ａで、算出対象区間に含まれるパケット受信レートの平均値と標準偏差とを算出し、当該平均値を中心としてその上下に当該標準偏差の幅を持つ範囲を許容範囲として選択し、後端パケット受信レートに続く後続パケット受信レートと当該許容範囲とを比較した比較結果に基づいて、当該後続パケット受信レートを当該算出対象区間に含めるか否かを判定するようにしてもよい。
【００４１】
あるいは、対象選択部１８Ａで、算出対象区間に含まれるパケット受信レートの標準偏差を算出し、後端パケット受信レートを中心としてその上下に当該標準偏差の幅を持つ範囲を許容範囲として選択し、後端パケット受信レートに続く後続パケット受信レートと当該許容範囲とを比較した比較結果に基づいて、当該後続パケット受信レートを当該算出対象区間に含めるか否かを判定するようにしてもよい。
なお、許容範囲については、標準偏差に限定されるものではなく、最大値、最小値、分散、９５％信頼幅など、パケット受信レートの変動を確認できる統計値であればよい。
【００４２】
統計値算出部１８Ｂは、算出対象区間に含まれるパケット受信レートの統計値を、当該算出対象区間の後端に位置する後端パケット受信レートの時刻における符号化ビットレートとして算出する機能を有している。この際、算出対象区間に含まれるすべてのパケット受信レートを用いて符号化ビットレートを算出してもよく、後端パケット受信レートから所定長だけ遡った区間内のパケット受信レートを用いて符号化ビットレートを算出してもよい。また、符号化ビットレートとしては、平均値のほか、最大値、最小値など、利用者のポリシやアプリケーションに応じた統計値を用いればよい。また、符号化ビットレートについては、個々のパケット受信レートに対応する時刻ごとに算出してもよく、一定の時間間隔で算出してもよい。
【００４３】
変動確認部１８Ｃは、後端パケット受信レートに続く後続パケット受信レートが許容範囲内に収まらない場合、後端パケット受信レートから始まる所定長の変動判定期間に含まれる複数のパケット受信レートについて回帰直線（変化率）を算出し、この回帰直線の傾き（変化率）と予め設定されている傾き判定値（変化率判定値）との比較結果に基づいてパケット受信レートの変動有無を確認する機能と、パケット受信レートの変動ありを確認した場合、後続パケット受信レートから所定長の安定判定時間が経過する前の時点で、許容範囲内に収まるパケット受信レートが現れるか否かを確認する機能とを有している。なお、回帰直線やその傾き、および傾き判定値は、パケット受信レートの変化率を算出して判定するための一例であり、他の算出方法でパケット受信レートの変化率を算出して判定してもよい。
【００４４】
対象除外部１８Ｄは、変動確認部１８Ｃでパケット受信レートの変動ありが確認され、かつ後続パケット受信レートから所定長の安定判定時間が経過する前の時点で、許容範囲内に収まるパケット受信レートが現れた場合は、後続パケット受信レートから許容範囲内に収まるパケット受信レートが現れるまでのパケット受信レートを、符号化ビットレートの算出対象から除外する機能を有している。
【００４５】
対象切替部１８Ｅは、変動確認部１８Ｃでパケット受信レートの変動ありが確認され、かつ、後続パケット受信レートから所定長の安定判定期間が経過する前の時点で、許容範囲内に収まるパケット受信レートが現れない場合は、後続パケット受信レート以降のパケット受信レートを新たな算出対象区間として選択する機能を有している。
【００４６】
ユーザ体感品質算出部１７Ｄは、記憶部１４の推定モデル１４Ｂを参照して、符号化ビットレート記憶部１６から取得した、映像品質推定時点における符号化ビットレートと、パケット解析部１７Ｂで算出した映像品質推定時点におけるパケット損失率とに基づいて、映像品質推定時点におけるユーザ体感品質を算出する機能を有している。
【００４７】
［第１の実施の形態の動作］
次に、本実施の形態にかかる映像品質推定装置の動作について説明する。
まず、図６を参照して、本実施の形態にかかる映像品質推定装置の映像品質推定動作について説明する。図６は、第１の実施の形態にかかる映像品質推定装置の映像品質推定動作を示すフローチャートである。
映像品質推定装置１０の演算処理部１７は、定期的、外部装置からの指示、あるいは操作入力部１２からのオペレータ指示に応じて、図６の映像品質推定動作を実行する。
【００４８】
まず、演算処理部１７は、パケット取得部１７Ａにより、通信Ｉ／Ｆ部１１でキャプチャしたパケットのうちから、評価対象となる映像通信のポート番号やＩＤなどの識別情報に基づいて、評価対象となる映像通信に関するパケットを取得する（ステップ１００）。
次に、演算処理部１７は、パケット解析部１７Ｂにより、パケット取得部１７Ａで取得したパケットの取得パケット数と取得時刻とに基づいて、これらパケットに関する各時刻におけるパケット受信レートを算出し、パケット受信レート記憶部１５へ保存する（ステップ１０１）。
【００４９】
続いて、演算処理部１７は、符号化ビットレート算出部１７Ｃにより、パケット解析部１７Ｂで算出された記憶部１４のパケット受信レートを統計処理することにより、各時刻における当該映像通信の符号化ビットレートを算出する、後述の符号化ビットレート算出処理を実行し、算出した符号化ビットレートを符号化ビットレート記憶部１６へ保存する（ステップ１０２）。
【００５０】
この後、演算処理部１７は、ユーザ体感品質算出部１７Ｄにより、記憶部１４の推定モデル１４Ｂを参照して、符号化ビットレート記憶部１６から取得した、映像品質推定時点における符号化ビットレートと、パケット解析部１７Ｂで算出した映像品質推定時点におけるパケット損失率とに基づいて、映像品質推定時点におけるユーザ体感品質を、評価対象となる映像通信の映像品質として算出し（ステップ１０３）、一連の映像品質推定動作を終了する。
【００５１】
次に、図７を参照して、本実施の形態にかかる映像品質推定装置の符号化ビットレート算出動作について説明する。図７は、第１の実施の形態にかかる映像品質推定装置の符号化ビットレート算出処理を示すフローチャートである。
【００５２】
符号化ビットレート算出部１７Ｃは、パケット受信レート記憶部１５に保存されているパケット受信レートのうち、指定された指定区間に含まれるパケット受信レートに基づいて、符号化ビットレートをそれぞれ算出する際、図７の符号化ビットレート算出処理を実行する。ここでは、指定区間に含まれる個々のパケット受信レートが観測された時刻における符号化ビットレートを算出するものとし、すでに選択された算出対象区間に対して時間的に連続する未処理の新たなパケット受信レートを算出対象区間に追加して、新たなパケット受信レートの観測時刻における符号化ビットレートを算出する場合を例として説明する。
【００５３】
まず、符号化ビットレート算出部１７Ｃは、対象選択部１８Ａにより、指定区間に含まれるパケット受信レートのうちから、すでに選択した算出対象区間の後端パケット受信レートに対して、時間的に連続する未処理の新たなパケット受信レートを、後続パケット受信レートとして１つ選択し（ステップ１１０）、このパケット受信レートが許容範囲内に収まるか否かを確認する（ステップ１１１）。
【００５４】
図８は、対象選択部での処理例を示す説明図であり、縦軸がパケット受信レートＲ（Mbps）を示し、横軸がパケット受信レートの観測時刻Ｔ（sec）を示している。ここでは、時刻Ｔｅまでのパケット受信レートが算出対象区間として選択されており、時刻Ｔｅのパケット受信レートが後端パケット受信レートＲ（Ｔｅ）となる。また、時刻Ｔｅの１sec後の時刻Ｔｘのパケット受信レートが後続パケット受信レートＲ（Ｔｘ）となり、この後続パケット受信レートＲ（Ｔｘ）が選択対象区間に含まれるか否か判定される。
【００５５】
許容範囲の主な選択方法としては、図８に示す許容範囲のように、算出対象区間のパケット受信レートから算出した平均値μを中心としてその上下に、同じく算出対象区間のパケット受信レートから算出した標準偏差σの幅を持つ範囲である。例えば、μ＝４．８でσ＝１．２の場合、許容範囲は、３．６（＝μ−σ）〜６．０（＝μ＋σ）の範囲となる。この場合、Ｒ（Ｔｘ）＝４．２であるから、Ｒ（Ｔｘ）は許容範囲内に含まれる。
この際、平均値に代えて、後端パケット受信レートＲ（Ｔｅ）を許容範囲の中心としてもよい。例えば、Ｒ（Ｔｅ）＝５．０でσ＝１．２の場合、許容範囲は、３．８（＝Ｒ（Ｔｅ）−σ）〜６．２（＝Ｒ（Ｔｅ）＋σ）の範囲となる。
【００５６】
このようにして、対象選択部１８Ａは、後続パケット受信レートＲ（Ｔｘ）が許容範囲内に含まれるか確認し（ステップ１１１）、後続パケット受信レートＲ（Ｔｘ）が許容範囲内に含まれる場合（ステップ１１１：ＹＥＳ）、対象選択部１８Ａは、後続パケット受信レートＲ（Ｔｘ）を算出対象区間に含める（ステップ１１２）。
【００５７】
続いて、符号化ビットレート算出部１７Ｃは、統計値算出部１８Ｂにより、後続パケット受信レートＲ（Ｔｘ）を含めた算出対象区間に関する平均値などの統計値を算出し、この統計を時刻Ｔｘにおける符号化ビットレートとして、符号化ビットレート記憶部１６へ保存する（ステップ１１３）。この際、統計値算出部１８Ｂで、後続パケット受信レートＲ（Ｔｘ）を含めた算出対象区間に関する許容範囲として用いる、平均値や標準偏差などの統計値を算出しておいてもよい。
【００５８】
その後、符号化ビットレート算出部１７Ｃは、指定区間に含まれるすべてのパケット受信レートに対する処理が終了したか確認し（ステップ１１４）、未処理のパケット受信レートが存在する場合は（ステップ１１４：ＮＯ）、ステップ１１０へ戻る。また、すべてのパケット受信レートについての処理が終了した場合は（ステップ１１４：ＹＥＳ）、一連の符号化ビットレート算出処理を終了する。
【００５９】
また、ステップ１１１において、後続パケット受信レートＲ（Ｔｘ）が許容範囲内に含まれない場合（ステップ１１１：ＮＯ）、符号化ビットレート算出部１７Ｃは、変動確認部１８Ｃにより、パケット受信レートに関する変動有無を確認する（ステップ１２０）。
【００６０】
図９は、変動確認部での変動有無確認処理例を示す説明図である。ここでは、時刻Ｔｘにおける後続パケット受信レートＲ（Ｔｘ）が許容範囲に含まれないため、変動確認部１８Ｃは、まず、記憶部１４の設定情報１４Ａで設定されている変動判定期間Ｌｃと変動判定変動量ΔＲとに基づいて、傾き判定値Ａ＝ΔＲ／Ｌｃを算出し、後端パケット受信レートＲ（Ｔｅ）から始まる変動判定期間Ｌｃに含まれる複数のパケット受信レートについて回帰直線Ｒ＝ａＴ＋ｂを算出する。そして、回帰直線の傾きａと傾き判定値Ａとを比較することにより、パケット受信レートの変動有無を確認する。
【００６１】
ここで、傾きａが傾き判定値Ａ以下の場合には、変動なしと判定し（ステップ１２０：ＮＯ）、前述したステップ１１２へ移行して、後続パケット受信レートＲ（Ｔｘ）を算出対象区間に含めて、符号化ビットレートを算出する。
【００６２】
一方、傾きａが傾き判定値Ａより大きい場合には、変動ありと判定し（ステップ１２０：ＹＥＳ）、変動確認部１８Ｃにより、後続パケット受信レートＲ（Ｔｘ）以降の変動区間Ｌｆが、記憶部１４の設定情報１４Ａで設定されている安定判定時間Ｌｓより短いか否か確認する。
【００６３】
図１０は、変動確認部での安定判定処理例を示す説明図である。変動区間Ｌｆとは、後続パケット受信レートＲ（Ｔｘ）以降のパケット受信レートが、後端パケット受信レートの許容範囲に収まらない区間のことである。したがって、後続パケット受信レートＲ（Ｔｘ）から安定判定時間Ｌｓが経過する前の時点で、許容範囲内に収まるパケット受信レートが現れるか否か確認することにより、変動区間Ｌｆが、安定判定時間Ｌｓより短いか否かを確認できる。図１０の場合、時刻Ｔｓのパケット受信レートＲ（Ｔｓ）が許容範囲内に戻っており、時刻Ｔｘから時刻Ｔｓまでの変動区間Ｌｆは、時刻Ｔｘからの安定判定時間Ｌｓより短い。
【００６４】
したがって、図１０に示すように、変動区間Ｌｆが安定判定時間Ｌｓより短い場合（ステップ１２１：ＹＥＳ）、符号化ビットレート算出部１７Ｃは、対象除外部１８Ｄにより、後続パケット受信レートＲ（Ｔｘ）から許容範囲内に収まるパケット受信レートが現れるまでのパケット受信レート、すなわち時刻Ｔｃまでのパケット受信レートを、符号化ビットレートの算出対象から除外し（ステップ１２２）、ステップ１１４へ移行する。
【００６５】
これにより、時刻Ｔｅから時刻Ｔｃのパケット受信レートは、時刻Ｔｃより後の符号化ビットレートの算出には用いられない。なお、時刻Ｔｅから時刻Ｔｃの符号化ビットレートについては、例えば、対象除外部１８Ｄにより、時刻Ｔｅにおける符号化ビットレートと同じ値を、符号化ビットレート記憶部１５へ保存すればよい。
また、図１０に示すように、時刻Ｔｓ以降の符号化ビットレートについては、時刻Ｔｅ以前のパケット受信レートと時刻Ｔｓ以降のパケット受信レートに基づき算出される。
【００６６】
図１１は、変動確認部での他の安定判定処理例を示す説明図である。この場合、時刻Ｔｓのパケット受信レートＲ（Ｔｓ）が許容範囲内に戻っており、時刻Ｔｘから時刻Ｔｓまでの変動区間Ｌｆは、時刻Ｔｘからの安定判定時間Ｌｓより長い。
このように、ステップ１２１において、変動区間Ｌｆが安定判定時間Ｌｓ以上の場合（ステップ１２１：ＮＯ）、符号化ビットレート算出部１７Ｃは、対象切替部１８Ｅにより、後続パケット受信レートＲ（Ｔｘ）以降のパケット受信レートを新たな算出対象区間として選択し（ステップ１２３）、ステップ１１３へ移行する。
【００６７】
これにより、時刻Ｔｅまでの各時刻については、時刻Ｔｅまでのパケット受信レートに基づいて符号化ビットレートが算出され、時刻Ｔｘ以降の各時刻については、時刻Ｔｘ以降の新たな算出対象区間におけるパケット受信レートに基づいて、符号化ビットレートが算出する。なお、時刻Ｔｘから時刻Ｔｓまでの符号化ビットレートについては、ステップ１２３で新たな算出対象区間を選択した直後のステップ１１３において、統計値算出部１８Ｂにより、一括して算出すればよい。
【００６８】
［第１の実施の形態の効果］
このように、本実施の形態では、パケット解析部１７Ｂで、パケットを取得した取得パケット数と取得時刻とに基づいて、パケットに関する各時刻におけるパケット受信レートを算出し、符号化ビットレート算出部１７Ｃで、各時刻におけるパケット受信レートを統計処理することにより、任意の映像品質推定時点における映像通信に関する符号化ビットレートを算出するようにしたので、評価対象となる映像通信について、各時刻における符号化ビットレートを精度良く算出することができる。
したがって、パケット転送レートの変動が激しいアプリケーションであっても、符号化ビットレートを考慮した、安定した高精度のユーザ体感品質を推定できる。
【００６９】
また、本実施の形態では、符号化ビットレート算出部１７Ｃにおいて、対象選択部１８Ａで、各時刻におけるパケット受信レートのうちから、時間的に連続する各パケット受信レートが許容範囲内に収まる区間を算出対象区間として選択し、統計値算出部１８Ｂで、この算出対象区間に含まれるパケット受信レートの統計値を、当該算出対象区間の後端に位置する後端パケット受信レートの時刻における符号化ビットレートとして算出するようにしたので、安定した符号化ビットレートを得ることができる。
【００７０】
また、本実施の形態では、符号化ビットレート算出部１７Ｃにおいて、変動確認部１８Ｃで、後端パケット受信レートに続く後続パケット受信レートが許容範囲内に収まらない場合、後端パケット受信レートから始まる所定長の変動判定期間に含まれる複数のパケット受信レートについて回帰直線（変化率）を算出し、この回帰直線の傾き（変化率）と予め設定されている傾き判定値（変化率判定値）との比較結果に基づいてパケット受信レートの変動有無を確認し、対象選択部１８Ａで、パケット受信レートの変動なしを確認した場合、後続パケット受信レートを算出対象区間に含めるようにしたので、パケット受信レートが緩やかに変化するような場合でも、これに応じた符号化ビットレートを算出することができる。
【００７１】
また、本実施の形態では、符号化ビットレート算出部１７Ｃにおいて、パケット受信レートの変動ありを確認し、かつ後続パケット受信レートから所定長の安定判定時間が経過する前の時点で、許容範囲内に収まるパケット受信レートが現れた場合は、対象除外部１８Ｄにより、後続パケット受信レートから許容範囲内に収まるパケット受信レートが現れるまでのパケット受信レートを、符号化ビットレートの算出対象から除外するようにしたので、パケット受信レートが一時的に変動した場合でも、その変動区間の影響を含まない、安定した符号化ビットレートを算出することができる。
【００７２】
また、本実施の形態では、符号化ビットレート算出部１７Ｃにおいて、パケット受信レートの変動ありを確認し、かつ、後続パケット受信レートから所定長の安定判定期間が経過する前の時点で、対象切替部１８Ｅにより、許容範囲内に収まるパケット受信レートが現れない場合は、後続パケット受信レート以降のパケット受信レートを新たな算出対象区間として選択するようにしたので、バケット受信レートの変動が継続的な場合には、それまでの区間の影響を含まない、高い精度の符号化ビットレートを算出することができる。
【００７３】
［第２の実施の形態］
次に、図１２を参照して、本発明の第２の実施の形態にかかる符号化ビットレート推定装置について説明する。図１２は、第２の実施の形態にかかる符号化ビットレート推定装置の構成を示すブロック図である。
第１の実施の形態では、映像品質推定装置１０を例として説明したが、符号化ビットレート推定装置として実現してもよい。図１２に示すように、具体的には、図１に示した映像品質推定装置１０の構成から、演算処理部１７のユーザ体感品質算出部１７Ｄを削除したものが、符号化ビットレート推定装置２０の構成となる。
【００７４】
すなわち、パケット解析部１７Ｂで、パケットを取得した取得パケット数と取得時刻とに基づいて、パケットに関する各時刻におけるパケット受信レートを算出し、符号化ビットレート算出部１７Ｃで、各時刻におけるパケット受信レートを統計処理することにより、任意の映像品質推定時点における映像通信に関する符号化ビットレートを算出する。
これにより、評価対象となる映像通信について、各時刻における符号化ビットレートを精度良く算出することができる。
【００７５】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００７６】
１…送信端末、２…受信端末、３…映像モニタ、５…パケット網、５Ａ…中継装置、６…伝送経路、６Ａ…分岐器、１０…映像品質推定装置、１１…通信Ｉ／Ｆ部、１２…操作入力部、１３…画面表示部、１４…記憶部、１４Ａ…設定情報、１４Ｂ…推定モデル、１４Ｐ…プログラム、１５…パケット受信レート記憶、１６…符号化ビットレート記憶部、１７…演算処理部、１７Ａ…パケット取得部、１７Ｂ…パケット解析部、１７Ｃ…符号化ビットレート算出部、１７Ｄ…ユーザ体感品質算出部、Ｌｃ…変動判定期間、ΔＲ…変動判定変動量、Ｌｓ…安定判定期間、Ｌｆ…変動区間、Ｒ（Ｔｅ）…後端パケット受信レート、Ｒ（Ｔｘ）…後続パケット受信レート、μ…平均値、σ…標準偏差、ａ…回帰曲線の傾き、Ａ…傾き判定値。
【図１】
0005390369.tif 000002
【図２】
0005390369.tif 000003
【図３】
0005390369.tif 000004
【図４】
0005390369.tif 000005
【図５】
0005390369.tif 000006
【図６】
0005390369.tif 000007
【図７】
0005390369.tif 000008
【図８】
0005390369.tif 000009
【図９】
0005390369.tif 000010
【図１０】
0005390369.tif 000011
【図１１】
0005390369.tif 000012
【図１２】
0005390369.tif 000013